(57)【要約】      （修正有）【課題】人による書き込みあるいは入力作業を容易にし、携帯性という必須の要件を満たした携帯用スケジュール帳を提供する。【解決手段】外装部材２とスケジュール帳本体４とから構成される携帯用スケジュール帳１であって、前記外装部材２が、壁面に対して着脱可能な部材３を備えていることを特徴とする、携帯用スケジュール帳１によって解決される。【選択図】図１
2009056805.tif 000002
【特許請求の範囲】
【請求項１】
外装部材（２）とスケジュール帳本体（４）とから構成される携帯用スケジュール帳（１）であって、前記外装部材（２）が、壁面に対して着脱可能な部材（３）を備えていることを特徴とする、携帯用スケジュール帳。
【請求項２】
壁面に対して着脱可能な部材（３）が、吸盤、磁石、面ファスナー、接着剤層、あるいはこれらを組み合わせたものであることを特徴とする、請求項１に記載の携帯用スケジュール帳。
【請求項３】
壁面に対して着脱可能な部材（３）が可撓性の磁石板であり、かつ前記磁石板が、外装部材の表面の一部もしくは全体にわたって、該表面と同一平面を成して配置されていることを特徴とする、請求項１又は２に記載の携帯用スケジュール帳。
【請求項４】
磁石板とスケジュール帳本体（４）との間に、強磁性体からなる遮磁部材（６）が挿入されていることを特徴とする、請求項３に記載の携帯用スケジュール帳。
【請求項５】
遮磁部材（６）が、アルミ、銅、鉄のいずれかからなる金属箔であることを特徴とする、請求項４に記載の携帯用スケジュール帳。
【請求項６】
壁面に対して着脱可能な部材（３）が略円形の吸盤であり、かつ前記吸盤が、外装部材（２）の表面に設けた１つ以上の窪み（８）内部に配設されており、前記窪み（８）内部に配設された吸盤が、外装部材（２）の表面から突出していないか、あるいは１〜１０ｍｍだけ前記表面から突出していることを特徴とする、請求項１又は２に記載の携帯用スケジュール帳。
【請求項７】
外装部材（２）の表面上に、１つ以上の略円形の凹部が、整然ともしくは無作為に設けられており、それぞれの略円形の凹部自体が吸盤として機能することを特徴とする、請求項１又は２に記載の携帯用スケジュール帳。
【請求項８】
外装部材（２）内部に、金属、カーボン材、繊維強化プラスチックから形成される弾性体（６）が埋設されていることを特徴とする、請求項６又は７に記載の携帯用スケジュール帳。
【請求項９】
壁面に対して着脱可能な部材（３）が吸盤であり、該吸盤の吸着面側に、弾性を有さないゲル体（５）が同心円状に配置されていることを特徴とする、請求項６から８までのいずれか１項に記載の携帯用スケジュール帳。
【請求項１０】
外装部材（２）の材質が、ウレタン系樹脂、スチレン系樹脂、シリコーン系樹脂、皮革、紙、又は厚紙であることを特徴とする、請求項１から９までのいずれか１項に記載の携帯用スケジュール帳。
【請求項１１】
偏光方向が互いに直交した配置で重ねて平行に配置された２つの軟質の偏光性フィルム（９）と、前記偏光性フィルムの対向側で片面もしくは両面に存在する着脱可能な接着層（１０）と、前記偏光性フィルムの間に存在する液晶材料（１１）と、前記偏光性フィルム間の間隔を一定に保持する球状のスペーサー（１２）と、前記液晶材料を前記偏光性フィルム間に留めるための封止部材（１３）とから構成されており、前記スペーサーが、磁性材料（１４）を含有しており、かつ一方の偏光性フィルムを通過した偏光の偏光方向をもう一方の偏光性フィルムの偏光方向と整合させる液晶材料厚さに相当する直径を有しており、かつ前記偏光性フィルム間で液晶材料中を自由移動可能であることを特徴とする書換自在な液晶ボード。
【発明の詳細な説明】
【技術分野】
【０００１】
本発明は、携帯用スケジュール帳に関する。
【背景技術】
【０００２】
従来、スケジュール管理のための道具としては、大きく分けて紙媒体のスケジュール帳と電子媒体のスケジュール帳の２種類が市場に出回っている。それぞれの種類のスケジュール帳について、今までに多くの機能改良がなされてきている。
【０００３】
特に、電子媒体のスケジュール帳については、コンピュータの発展に伴い、紙媒体では実現できないような種々の機能を兼ね備えたものが開発されてきている。例えば、特開２００４−０５４７９９に記載されるように、インターネット接続が可能であったり、紙媒体では場所を取りがちな多くの辞書を搭載した電子媒体のスケジュール帳などがある。
【０００４】
もちろん、紙媒体のスケジュール帳に関しても、特開平１１−０４２８７２に記載されるように、スケジュールの策定及び管理を容易にしたスケジュール帳が提案されている。
【０００５】
しかし、多くの機能向上に伴って、多くの処理・管理を容易に行うことができるようになったとはいえ、管理すべきスケジュールの具体的な内容を記入・入力をするためには、人による手作業を避けることはできない。
【０００６】
具体的には、紙媒体のスケジュール帳では、ボールペンなどの筆記具による書き込み作業が必要であり、電子媒体のスケジュール帳でも、スタイラスあるいはキーボードによる入力作業が必要である。
【０００７】
このような書き込みあるいは入力作業を行う際に、作業台と椅子等があるならば、そのような作業はなんら問題なく行うことができる。しかしながら、書き込み作業あるいは入力作業が必要となるのは、大抵は、出先や移動手段内となることが多い。
【０００８】
特に現在では、携帯電話を二人に一人の割合で保有している現状からすると、スケジュール帳に書き込みを行うべきときは、必ずしもスケジュールの書き込みを行いやすい環境であるとはいえず、むしろ出先で急きょスケジュール内容を書き込まねばならないことが多い。
【０００９】
このように、スケジュール帳の機能が改良される一方で、最も重要な機能である「書き込み・入力作業」については、あまり改善がなされていない。実際、街中でビジネスマンが、携帯電話を肩と耳とで支えた不自然な姿勢で、壁面に向かってスケジュール帳に書き込みを行っているのを、しばしば見掛ける。
【００１０】
ところで、特開２００１−２９３９８６では、バインダー底部左右にスライド面を設けバインダーが構造部の溝に沿って縦方向に移動できるようにし、更に構造部自体がその底部に設けた溝に沿って裏表紙の上下のスライド面を横方向に移動できるようにしたことを特徴とするシステムバインダーが開示されている。
【００１１】
たしかに、前記出願発明によるシステムバインダーを持ち歩いていれば、スケジュール帳などへの書き込みは、若干容易にはなるが、そのバインダー自体のサイズが大きいため、係るシステムバインダーは、携帯性に乏しく、常に携帯するには適していない。
【００１２】
このように、スケジュール帳は、その機能の向上の一方で、最も重要な人による書き込み・入力作業を容易にしたものは、依然として開発されていない。
【特許文献１】特開２００４−０５４７９９
【特許文献２】特開平１１−０４２８７２
【特許文献３】特開２００１−２９３９８６
【発明の開示】
【発明が解決しようとする課題】
【００１３】
従って、本発明の課題は、携帯用スケジュール帳が有すべき携帯性という必須の要件を満たした上で、人による書き込みあるいは入力作業を容易にした携帯用スケジュール帳を提供することであった。
【課題を解決するための手段】
【００１４】
前記課題は、外装部材とスケジュール帳本体とから構成される携帯用スケジュール帳であって、前記外装部材が、壁面に対して着脱可能な部材を備えていることを特徴とする、携帯用スケジュール帳によって解決された。
【００１５】
本発明において、壁面に対して着脱可能な部材とは、有利には、吸盤、磁石、面ファスナー、接着剤層、あるいはこれらを組み合わせたものを意味する。
【００１６】
１つ以上の壁面に対して着脱可能な部材を外装部材に設けることができ、好ましくは３つ以上の係る部材を設けることが可能である。前記の壁面に対して着脱可能な部材は、外装部材の全体にわたって、あるいは、無作為に、もしくは整然と配置されていてよい。係る部材の設置位置は、書き込みあるいは入力を行う状態の上下関係を考慮して、その上側の範囲内に壁面に対して着脱可能な部材が複数設置されていることが好ましい。それというのも、本発明によるスケジュール帳を壁面で使用する際に、前記の上下関係における下側の範囲内にしか脱着部材が設置されていないと、重力の関係で本発明によるスケジュール帳の壁面に対する固定が不十分となり、落下しやすい傾向になるからである。
【００１７】
壁面に対して着脱可能な部材として磁石を使用する場合には、可撓性の磁石板、例えばゴム磁石を使用することが好ましい。それというのも、外装部材内に全表面にわたって磁石が埋設されている場合に、本発明によるスケジュール帳全体が可撓性を保つことが好ましいからである。それに対して、可撓性でない磁石板を用いて、外部からの衝撃に対する強度を高めることも可能である。
【００１８】
電子媒体のスケジュール帳の場合には、壁面に対して着脱可能な部材として、磁気的記憶に悪影響を与えないためにも、磁石以外のものを選択することが好ましい。しかしながら、電子媒体のスケジュール帳の場合に、壁面に対して着脱可能な部材として磁石を使用するときは、磁石とスケジュール帳本体との間に、強磁性体からなる遮磁部材、特にアルミ、銅、鉄のいずれかからなる金属箔が挿入されていることが好ましい。
【００１９】
壁面に対して着脱可能な部材として吸盤を使用する場合には、略円形の吸盤を使用することが好ましい。前記吸盤は、外装部材の表面に設けた１つ以上の窪み内部に配設されており、前記窪み内部に配設された吸盤が、外装部材の表面から突出していないか、あるいは１〜１０ｍｍ、有利には１〜５ｍｍだけ前記表面から突出していることが好ましい。
【００２０】
また、壁面に対して着脱可能な部材として吸盤を使用する場合には、外装部材自体が、１つ以上の略円形の凹部を有し、それらの凹部自身が吸盤として機能するように構成されていることが特に好ましい。前記の略円形の凹部は、外装部材の表面上に、整然ともしくは無作為に配置されていてよい。
【００２１】
壁面に対して着脱可能な部材として吸盤を使用する場合には、外装部材の素材自体が弾性を有する合成樹脂から構成されていてもよく、外装部材の素材自体が弾性を示さずとも、外装部材の内部に弾性体が全体にわたってもしくは一部に形状をもって埋設されていてもよい。内部に埋設される弾性体は、金属、カーボン材、繊維強化プラスチックから形成されていてよく、外装部材の表面と平行に埋設されていても、また、外装部材の表面に対して曲率をもって、あるいは折り曲げられて埋設されていてよい。外装部材内部に弾性体が埋設されていることで、吸盤として機能する略円形の凹部は、壁面に押しつけることにより、壁面と凹部との間にできた空間中の空気が押し出されて壁面に吸着し、内部に埋設された弾性体の復元力により、吸着状態を長く保つことができる。
【００２２】
壁面に対して着脱可能な部材として吸盤を使用する場合には、略円形の凹部内側の吸着面側に、弾性を有さないゲル体が同心円状に配置されていてよい。前記ゲル体の素材としては、ポリエチレン系、スチレン系、シリコーン樹脂系などの合成樹脂系のゲルを使用することができる。
【００２３】
また、壁面に対して着脱可能な部材としては、面ファスナー、接着剤層を使用することができるが、本発明によるスケジュール帳を携帯している間に、衣服のポケットなどに直接付着しないように、保護層を設けることが好ましい。同様の保護層は、壁面に対して着脱可能な部材として、磁石又は吸盤を採用した場合にも設けられていてよい。
【００２４】
前記保護層は、フィルム、相補する片側の面ファスナー（鉤状の形状を有する側の面ファスナー）、金属板などが適している。
【００２５】
外装部材を構成する材料は、弾性を有する合成樹脂材料、例えばウレタン系、スチレン系、シリコーン系樹脂など、従来の吸盤に用いられている従来公知の材料、弾性を有さない合成樹脂材料、皮革、紙、厚紙であってよい。前記の好ましい態様のように、外装部材自体が凹部を有し、それが吸盤として機能する構成を採用する場合には、係る外装部材は、通常吸盤の製造に用いられるポリマー材料を使用することが好ましい。
【００２６】
また、本発明によるスケジュール帳は、特定のページが開かれたままにする固定部材、例えばクリップを有することが望ましい。この固定部材は、記入しようとするページを開いたままに固定できるものであれば、いかなるものでも採用できる。固定部材としては、ページを開く動作と連動して、開いたページを固定するものが好ましい。この固定部材の例としては、特許第３７３０６５４号に記載されるしおり付きブックカバーが好ましい。
【００２７】
本発明による携帯用スケジュール帳を壁面に固定して、書き込みを行おうとするときに、その落下を避けるために、当該携帯用スケジュール帳自体をおさえる必要はないことは言うまでもないが、前記固定部材が設けられている場合には、開いたページをも固定するために手で押さえる必要もなくなる。
【００２８】
本発明によるスケジュール帳は、壁面に対して着脱可能な部材を有するので、様々な壁面に対して一時的に固定することができる。
【００２９】
例えば、吸盤を使用する場合には、ガラス、金属板などの平坦な表面を有する壁面に対して固定することができ、磁石を使用する場合には、金属製の壁面に対して固定することができ、面ファスナーを使用する場合には、織物などでできた壁面に対して固定することができ、接着剤層を使用する場合には、用いる接着剤に依存して、様々な壁面に固定することができる。
【００３０】
もっとも、屋外、特に市街地などでは、鉄製の壁面を有する自動販売機がほぼ確実に設置されているし、建造物の窓ガラス、自動車などの車体が存在しているという観点から、壁面に対して着脱可能な部材としては、磁石及び吸盤が最も適している。
【００３１】
また、屋外だけでなく、屋内でも、例えば電車内、店内においても、ガラスなどの平坦面、又は金属製の壁面が存在するので、多くの場所で、本発明によるスケジュール帳を一時的に固定して書き込みを行うことが可能である。
【００３２】
なお、本発明の範囲内における「壁面」とは、地面に対して垂直な壁面のみを意味するのではなく、地面に対して傾斜角を有する壁面であってもよいことは言うまでもない。更に、本発明による壁面は、表面上に細かい起伏を有していてもよい。
【００３３】
このように、本発明によるスケジュール帳を壁面に対して一時的にでも固定することができれば、携帯電話で通話している最中などの片手が塞がった状況下であっても、スケジュール帳から手を離して、片手で電話機を持って、もう一方の手でスケジュールを書き込みあるいは入力することが可能となる。
【００３４】
また、本発明によるスケジュール帳は、スケジュールの書き込み・入力作業を容易にするだけではなく、自宅にある壁面に固定して保管することも可能にする。例えば、冷蔵庫やホワイトボードに対して貼り付けて保管することによって、手帳の紛失を減らすこともできる。
【発明を実施するための最良の形態】
【００３５】
以下で、本発明を、図面に基づき、その好ましい実施態様について説明するが、本発明は、これらの図面に示される実施形態のみに限定されるものではない。また、各図面において、寸法及び縮尺を誇張して描かれている場合もある。
【００３６】
図１は、本発明による好ましい携帯用スケジュール帳（１）の実施形態の斜視図を示している。
【００３７】
図１において、本発明によるスケジュール帳（１）は、スケジュール帳本体（４）と、該スケジュール帳本体（４）に装着された外装部材（２）とから構成され、その外装部材（２）のスケジュール帳本体（４）と反対側の表面に相当する面上に、壁面に対して着脱可能な部材（３）が配置されている。
【００３８】
図１においては、外装部材（２）の表面上に１つの部材（３）のみが設けられている実施形態が示されているが、図２に示されるように、複数の部材（３）が整然ともしくは無造作に配置されていてもよい。
【００３９】
また、部材（３）が吸盤である場合には、図２に示されるように、吸盤を構成する凹部の内側に、弾性を有さないゲル体（５）が同心円状に配置されていてよい。このゲル体（５）により、本発明による携帯用スケジュール帳（１）の壁面に対する吸着力が増強し、壁面に微小の起伏があっても吸着が可能となる。
【００４０】
図１では、部材（３）として円形の凹部（すなわち吸盤）を例示しているが、その他に磁石、面ファスナー、接着剤層、あるいはこれらの組み合わせであってもよい。
【００４１】
図３は、本発明による好ましい携帯用スケジュール帳（１）の横断面図を示している。
【００４２】
図３に示されるように、本発明による携帯用スケジュール帳（１）は、壁面に対して着脱可能な部材（３）の他に、その外装部材（２）の内部に、弾性体（６）が埋設されている。図４から理解されるように、弾性体（６）は、押圧力の方向（７）に圧力がかかると、湾曲形状から平坦形状に変形すると同時に、（７）の方向と逆方向に反発力を生ずる。
【００４３】
部材（３）として磁石を採用する場合には、図３に記載される弾性体（６）と同様に、遮磁部材が埋設されていてよい。この場合に、埋設される部材は、弾性体（６）のように反発力を有している必要はないが、それを排除するわけではない。
【００４４】
図４は、部材（３）として吸盤を採用し、かつ外装部材（２）の内部に弾性体（６）が埋設されている場合に、本発明による携帯用スケジュール帳（１）が壁面に対して付着されるメカニズムを説明する横断面図である。
【００４５】
図４の（ａ）では、本発明による携帯用スケジュール帳（１）に方向（７）に向かって力を加えた時点の状態を示している。
【００４６】
図４の（ａ）の状態から、力を緩めると、外装部材（２）中に埋設された弾性体（６）の反発力の影響で、図４の（ｂ）の状態となる。図４の（ｂ）の状態となった後は、常に弾性体（６）の反発力によって、吸盤内からの空気の漏洩が通常の吸盤よりも圧倒的に妨げられ、壁面に対して持続的かつ強固に吸着しうる。
【００４７】
図５は、壁面に対して着脱可能な部材（３）の他の可能な態様を示す本発明による携帯用スケジュール帳（１）の横断面図を示している。
【００４８】
前記の図１〜図４に示されるように外装部材（２）そのものが一体になって部材（３）を構成しているものだけでなく、図５に示されるように、外装部材（２）が窪み（８）を有し、その内部に部材（３）が配設されていてもよい。
【００４９】
本発明は、書換自在な液晶ボードに関する。
【００５０】
従来、文字などの書き込みを行える媒体としては、黒板、ホワイトボード、帳面のような実際に書き込みを行う媒体や、液晶、有機ＥＬ、電子ペーパ、タッチパネルを採用した電子機器としての媒体が挙げられる。
【００５１】
その他にも、特殊なものとして、合成樹脂フィルムを紙製ベース板の表面にラミネートしてベース板の表面に平滑面部を形成し、該平滑面部に軟質クリヤ樹脂製の着色クリヤーシートを被せて該シートの一側縁をウエルダによりベース板に止着してなる書換自在ボードが挙げられる（特開平５−１１２０９３）。
【００５２】
従来の書換自在な媒体のほとんどは、紙の代替として使用することを目的としており、媒体自体が透明性を有するという課題はほどんど提起されていなかった。
【００５３】
ここで仮に、このような書換自在な媒体が透明性を有していれば、表の枠線のみが印されている面上にかかる媒体を載せて使用することで、枠線をテンプレートとして繰り返し利用することが可能となり、更には、テンプレート自体を自由に置き換えることも可能となる。他にも、受験生が問題集を解くときに問題集上に透明な書換自在な媒体を載置して使用すれば、正誤のチェックを実際に書き込むことなく、問題集をきれいな状態で繰り返し使用することが可能となる。
【００５４】
しかし、有機ＥＬあるいは液晶で、透明な表示ディスプレイが提案されてはいるものの、書換自在な媒体としては、透明なものは存在しない。
【００５５】
従って、本発明の課題は、上記ニーズに応じて、書換自在な媒体の書き込み面上に書き込みを行うときに当該媒体の背面にあるものが視認できるほど書き込み面が透明な書換自在な媒体を提供することであった。
【００５６】
本発明は、上記に鑑みて提案されたもので、偏光方向が互いに直交した配置で重ねて平行に配置された２つの軟質の偏光性フィルム（９）と、前記偏光性フィルムの対向側で片面もしくは両面に存在する着脱可能な接着層（１０）と、前記偏光性フィルムの間に存在する液晶材料（１１）と、前記偏光性フィルム間の間隔を一定に保持する球状のスペーサー（１２）と、前記液晶材料を前記偏光性フィルム間に留めるための封止部材（１３）とから構成されており、前記スペーサーが、磁性材料（１４）を含有しており、かつ一方の偏光性フィルムを通過した偏光の偏光方向をもう一方の偏光性フィルムの偏光方向と整合させる液晶材料厚さに相当する直径を有しており、かつ前記偏光性フィルム間で液晶材料中を自由移動可能であることを特徴とする書換自在な液晶ボードである。
【００５７】
本発明による書換自在な液晶ボードは、前記スペーサーにより通常はノーマリーホワイト型の液晶と同じ状態となるように設定されている。つまり、一方の偏光性フィルムを通過した偏光の偏光方向をもう一方の偏光性フィルムの偏光方向と整合させるように、液晶材料が透過光を偏光させるので、本発明による書換自在な液晶ボードを背面から透過した光は、もう一方の偏光性フィルムにより遮断されないようになり、通常は、透明な状態をとることになる。
【００５８】
本発明による書換自在な液晶ボードは、偏光性フィルム間にある液晶材料によりスペーサーの間隔保持によって透明性を保っているが、一方の偏光性フィルムに先端の尖った棒などで応力を加え、もう一方の偏光性フィルムと一時的に接着させた場合には、偏光性フィルム間にはその位置から当初存在していた液晶材料は押しのけられるので、接着点は単に偏光方向が交差した偏光性フィルムを重ねた状態となるため、背面からの透過光は交差した偏光であるゆえ遮断されることとなる。例えば、一方の偏光性フィルムの偏光方向に対して、下方の偏光性フィルムの偏光方向が９０度の角度をとなるように配置されており、内在する液晶材料が通過する光を９０度だけ偏光させる厚さに保持されていることが好ましい。
【００５９】
つまり、本発明による書換自在な液晶ボードは、通常は全体的に透明性を保っているが、応力を加えて偏光性フィルム同士を一時的に接着させた位置については、光が遮断されて黒色を呈し、この原理により呈された黒色領域が、筆跡の代わりとなる。なお、本発明の作動原理を考慮すれば、上方の偏光性フィルムのみが軟質であれば足り、下方の偏光性フィルムまでも軟質であることを要求するものではない。
【００６０】
本発明による書換可能な液晶ボードにおいて、スペーサーは磁性材料を含有していて、かつ偏光性フィルム間を液晶材料中で自由移動可能なので、書き込みに際して応力を加えた箇所から液晶材料と一緒に押しのけられるが、後に、書き込んだ事項を消去する時に、磁力を利用して偏光性フィルム同士を引き離し、同時に再度、フィルム間で均一に分布させることが可能となる。
【００６１】
前記の磁性材料を含有するスペーサーは、特開平６−２４２４５２などから当業者には公知である。また、軟質な偏光性フィルムは、特開平８−１８４７０１などから十分に知られている。さらに、選択される液晶材料については、特記するまでもなく、液晶ディスプレイ製造技術において特筆するまでもなく広く知られており、２つの偏光性フィルムと共にノーマリーホワイト型の状態にすることも周知慣用技術である。
【００６２】
偏光性フィルム同士を一時的に接着する接着剤は、感圧性接着剤などの押圧により一時的に接着し、再び剥離が可能なものであればどのようなものでもかまわない。また、接着層は、上方の偏光性フィルムと下方の偏光性フィルムの両方に設けられていることが望ましいが、どちらか一方のみに設けられているだけでもよい。
【００６３】
本発明による書換自在な液晶ボードの各構成要素は、上記説明のような各要素が満たすべき特徴を有していればよく、その特徴に基づけば、最適な材料を選択することは当業者は十分に行うことができる。
【００６４】
図６は、本発明による書換自在な液晶ボードの作動原理を簡略化して示している。従って、縮尺・寸法・比率については、実際のものと必ずしも一致しているわけではない。
【００６５】
図６の上方の図（ａ）は、書き込みを行う前の初期状態を表す図である。その初期状態では、２つの偏光性フィルム（９）は、スペーサー（１４）によって等間隔に保たれており、その間隔は、内在する液晶材料（１１）の作用により偏光を透過する幅に相当する。
【００６６】
図６の上方の図（ａ）に示されるような先端が尖った棒でその矢印方向に応力を加えると、上方の軟質な偏光性フィルム（９）は、液晶材料（１１）とスペーサー（１２）を押しのけて、下方の偏光性フィルム（９）へと接近し、最終的には、上方の接着層（１０）と下方の接着層（１０）とが圧力の作用により接着して、図６の下方の図のような状態となる。
【００６７】
図６の上方の図（ａ）の状態であると、波線で示したように、本発明による書換自在な液晶ボードの背面側から偏光が透過しうる（ノーマリーホワイト型）が、図６の下方の図（ｂ）の状態となると、偏光性フィルム（９）間にはもはや液晶材料が存在しなくなるので、背面からの偏光の透過は遮断される。つまり、上方の接着層（１０）と下方の接着層（１０）とが接着している位置は光透過がないため黒色を呈することとなる。
【００６８】
この接着層（１０）同士が接着した点が増えれば、それは線となり、線が組み合わされれば、図形を描写することができる。
【００６９】
なお、図６の下方の図（ｂ）の状態とした後（書き込みを行った後）に、その内容を消去する場合には、スペーサー（１２）中に含まれる磁性材料（１４）の性質を利用して書き込み表面に外部から均一な磁界を印加することによって、再びスペーサー（１２）が移動し、接着箇所を引き離し、元の図６の上方（ａ）の状態にすることができる。
【００７０】
このようにして、本発明による書換自在な液晶ボードは、繰り返しの書き込み・消去を行うことが可能である。
【００７１】
また、本発明による書換自在な液晶ボードは、書き込み表面に柔軟性を有していればよいので、下方にある偏光性フィルム（９）は、必ずしも軟質である必要はない。
【図面の簡単な説明】
【００７２】
【図１】図１は、本発明による好ましい携帯用スケジュール帳（１）の実施形態の斜視図を示している。
【図２】図２は、本発明による携帯用スケジュール帳（１）における壁面に対して着脱可能な部材（３）の好ましい配置の一例を示す図である。
【図３】図３は、本発明による好ましい携帯用スケジュール帳（１）の横断面図を示している。
【図４】図４は、部材（３）として吸盤を採用し、かつ外装部材（２）の内部に弾性体が埋設されている場合に、本発明による携帯用スケジュール帳（１）が壁面に対して付着されるメカニズムを説明する横断面図である。
【図５】図５は、壁面に対して着脱可能な部材（３）の他の可能な態様を示す本発明による携帯用スケジュール帳（１）の横断面図を示している。
【図６】図６は、本発明による書換自在な液晶ボードの作動原理を簡略化して示している。
【符号の説明】
【００７３】
１  携帯用スケジュール帳、  ２  外装部材、  ３  壁面に対して着脱可能な部材、  ４  スケジュール帳本体、  ５  ゲル体、  ６  弾性体（遮磁部材）、  ７  押圧の方向、  ８  窪み、  ９  偏光性フィルム、  １０  接着層、  １１  液晶材料、  １２  スペーサー、  １３  封止部材、  １４  磁性材料
【図１】
2009056805.tif 000003
【図２】
2009056805.tif 000004
【図３】
2009056805.tif 000005
【図４】
2009056805.tif 000006
【図５】
2009056805.tif 000007
【図６】
2009056805.tif 000008